(57)【要約】【目的】  パソコン用のＰＣデイスプレイでＴＶやビデオＴＶが視聴できるようにする。パソコン無しでもＴＶが視聴できるようにする。【構成】  映像信号をＰＣデイスプレイ対応の信号に変換する変換器と、その入力コネクタと出力コネクタが最小限構成になる。  この変換機構をＶＴＲやＤＶＤレコーダー内部に組み込む。  音声は外部スピーカでも良いが、変換器内に構成しても良い。【選択図】図１
0003140699.tif 000002
【実用新案登録請求の範囲】
【請求項１】
明細書記載のレコーダＰＣデイスプレイ変換器をＶＴＲレコーダーあるいはＤＶＤレコーダー内部に組み込み、そのレコーダーのＴＶチューナ信号や映像信号をＰＣデイスプレイ対応信号に変換し、その映像出力を増設したＰＣデイスプレイ出力コネクタに接続し、コネクタにＰＣデイスプレイのケーブルコネクタを接続できるようにしたＶＴＲレコーダーやＤＶＤレコーダー。
【考案の詳細な説明】
【技術分野】
【０００１】  本考案は、パソコンデイスプレイをＴＶにする方法に関するものである。
【背景技術】
【０００２】  アンテナ線を接続して、その映像出力をＰＣデイスプレイに接続すればＴＶになるという製品は実用化されている。
パソコンにＴＶチューナーボードを接続すれば、ＰＣデイスプレイでＴＶが見られるという製品も市販されている。【０００３】  しかし、従来の製品は回路が複雑で高価になる傾向があった。
パソコンと連動して動作させるので、本体のＰＣがないと利用できない問題があった。最近になって、パソコンやチューナーなしでもＰＣデイスプレイをＴＶにできる製品が発売されている。
【考案の開示】
【考案の解決しようとする課題】
【０００４】  パソコンなし、チューナーなしでＰＣデイスプレイをＴＶにする製品は発売されるまでに技術は進化したが、十分にはそのような製品の存在が知られていないし家電各社から販売されているわけではない。
ＶＴＲレコーダー等に変換器を接続すれば出力がＴＶになる構成だが、その場合はＶＴＲと変換器とＰＣデイスプレイの３台構成になりケーブルの接続が複雑化する問題がある。
【課題を解決するための手段】
【０００５】  本考案は、ＤＶＤレコーダーへの転換が進む状況だが、ＶＴＲレコーダー内部に変換機構を組み込みＰＣデイスプレイを直接的にＴＶにする。
あるいはＤＶＤレコーダーに変換器を内蔵する方法を利用する。
すなわちレコーダーの出力コネクターにＰＣデイスプレイ接続用があるので、ＰＣデイスプレイのケーブル１本を接続するだけでＴＶになる。
【考案の効果】
【０００６】  新たに発売されるＶＴＲやＤＶＤレコーダー内にこの機能が内蔵されると、購入した人は必要に応じてＰＣデイスプレイをＴＶとして利用できる。
新たに変換器を購入する必要がないし、電線接続の手間も省ける。
セットで買う方が一般的に費用が割安になる。
不要になり余る傾向があるパソコンのデイスプレイを直接活用でき、２台目や３台目のＶＴＲレコーダー付きのＴＶに出来る。レコーダーに変換器を内蔵するなら外部の変換器は不要になるので構成が明確になる。
必要に応じて、変換器単体での購入も可能になる。
【考案を実施するための最良の形態】
【０００７】  変換器を内蔵したＤＶＤレコーダーなら、そのデイスプレイ接続用のコネクタにパソコンデイスプレイを接続すれば、そのままパソコン不要でＰＣ専用のデイスプレイがＴＶとして利用できるようになる。
レコーダーにスピーカを内蔵できれば良いが、ＰＣデイスプレイ対応の音声用端子を外部スピーカに接続するとＰＣデイスプレイの音声出力になる。
【実施例１】
【０００８】  図１は、本考案の１例の原理図である。
ＶＴＲレコーダーの映像出力を変換器の映像入力に接続し、音声出力を変換器の音声入力に接続している。変換器の内部で映像信号をＰＣデイスプレイの映像出力に変換しＰＣデイスプレイに接続できるようになっている。
変換器の内部で音声信号を増幅して内蔵スピーカに接続している。
ボリュームを調節するとその強弱が可変できる。イアホン端子を利用して、外部スピーカを利用することも可能になっている。
【実施例２】
【０００９】  ＤＶＤレコーダー内部に変換器を内蔵したモデルを例示している。
レコーダー内部に変換器を内蔵しているので、変換器を買う必要がない。
その利用法は同様で、デイスプレイ出力コネクタにＰＣデイスプレイを接続するだけでＴＶとして利用できるようになる。パソコン不要で動作できる。
【産業上の利用の可能性】
【００１０】  パソコン不要で動作できるが、パソコンと連動させることもできる。
不要になって用途のないＰＣデイスプレイが家庭用ＴＶになるし、防犯用の録画機能付きＶＴＲデッキＴＶとして再利用出来る。
最近のレコーダーはＨＤを内蔵して記録能力が大きいので、プログラム次第で保安用のレコーダーとして録画する事ができる。
【図面の簡単な説明】
【００１１】
【図１】  外付けの変換器を利用するＴＶ変換器の原理図。
【図２】  ＤＶＤレコーダに変換器を内蔵するＴＶ変換の原理図。
【符号の説明】
【００１２】    １  レコーダーＰＣデイスプレイ変換器。
２  パソコン用ＰＣデイスプレイ。
３  ＶＴＲレコーダー又はＤＶＤレコーダー又はゲーム機器。
４  変換器の映像出力コネクタに接続したＰＣデイスプレイのケーブル。
５  レコーダーの映像出力と変換器の映像入力コネクタを接続する専用ケーブル。
６  レコーダーの音声出力を変換器の音声入力コネクタに接続する専用ケーブル。
７  変換器を内蔵したＶＴＲレコーダー又はＤＶＤレコーダー。
８  レコーダーの増設デイスプレイ出力コネクタに接続したケーブル
【図１】
0003140699.tif 000003
【図２】
0003140699.tif 000004
【手続補正書】
【提出日】平成20年1月4日(2008.1.4)
【手続補正１】
【補正対象書類名】実用新案登録請求の範囲
【補正対象項目名】全文
【補正方法】変更
【補正の内容】
【実用新案登録請求の範囲】
【請求項１】
ＤＶＤレコーダー又はＤＶＤプレーヤーのＴＶチューナ出力信号や映像出力信号を機器内部でパソコンデイスプレイ対応の映像出力信号に変換し、機器の外部出力コネクタへと接続する。このような信号変換回路を内蔵して、そのデイスプレイ用外部出力コネクタにパソコンデイスプレイの接続ケーブルを接続するとパソコン用のデイスプレイがＴＶモニターになる機能を持つＤＶＤレコーダーあるいはＤＶＤプレイヤー。
【手続補正２】
【補正対象書類名】明細書
【補正対象項目名】全文
【補正方法】変更
【補正の内容】
【考案の詳細な説明】
【技術分野】
【０００１】  本考案は、パソコンデイスプレイをＴＶにする方法に関するものである。
【背景技術】
【０００２】  アンテナ線を接続して、その映像出力をＰＣデイスプレイに接続すればＴＶになるという製品は実用化されている。
パソコンにＴＶチューナーボードを接続すれば、ＰＣデイスプレイでＴＶが見られるという製品も市販されている。【０００３】  しかし、従来の製品は回路が複雑で高価になる傾向があった。
パソコンと連動して動作させるので、本体のＰＣがないと利用できない問題があった。ＶＴＲレコーダー等に外部増設して接続する映像信号変換機器を利用することでパソコンやチューナーなしでもＰＣデイスプレイをＴＶモニターに応用できる製品がアイオーデーター機器株式会社から発売されている。
【考案の開示】
【考案の解決しようとする課題】
【０００４】  パソコンなし、チューナーなしでＰＣデイスプレイをＴＶにする製品は発売されるまでに技術は進化したが、十分にはそのような製品の存在が知られていないし、家電各社から販売されていないのでＰＣデイスプレイは放置されやすい。
ＶＴＲレコーダー等に変換器を接続すれば出力がＴＶモニターになる構成だが、その場合はＶＴＲやＤＶＤと変換器とＰＣデイスプレイの３台構成になりケーブルの接続が複雑化する問題がある。
【課題を解決するための手段】
【０００５】  本考案は、ＤＶＤレコーダーやＤＶＤプレイヤーの内部に信号変換回路をあらかじめ組み込み、その外部コネクタにＰＣデイスプレイケーブルを接続することでＰＣデイスプレイをＴＶモニターにする。
すなわちＤＶＤレコーダーやＤＶＤプレイヤーの出力コネクターにＰＣデイスプレイ接続用があるので、ＰＣデイスプレイのケーブルを直接接続するだけでＴＶモニターとして活用できるようになる。
【考案の効果】
【０００６】  新たに発売されるＶＴＲやＤＶＤレコーダー内にこの機能が内蔵されると、購入した人は必要に応じてＰＣデイスプレイをＴＶモニターとして利用できる。
新たに変換器を購入する必要がないし、電線接続の手間も省ける。
セットで買う方が一般的に費用が割安になる。
不要になり余る傾向があるパソコンのデイスプレイを直接活用でき、２台目や３台目のＶＴＲレコーダー付きのＴＶに出来る。レコーダーに変換器を内蔵するなら外部の変換器は不要になるので構成が明確になる。
必要に応じて、変換器単体での購入も可能になる。
【考案を実施するための最良の形態】
【０００７】  変換器を内蔵したＤＶＤレコーダーなら、そのデイスプレイ接続用のコネクタにパソコンデイスプレイを接続すれば、そのままパソコン不要でＰＣ専用のデイスプレイがＴＶモニターとして利用できるようになる。
レコーダーにスピーカを内蔵できれば良いが、ＰＣデイスプレイ対応の音声用端子を外部スピーカに接続するとＰＣデイスプレイの音声出力になる。
【実施例１】
【０００８】  図１は、本考案の１例の原理図である。
ＤＶＤプレイヤーの映像出力を変換器の映像入力に接続し、音声出力を変換器の音声入力に接続している。変換器の内部で映像信号をＰＣデイスプレイの映像出力に変換しＰＣデイスプレイに接続できるようになっている。
変換器の内部で音声信号を増幅して内蔵スピーカに接続している。
ボリュームを調節するとその強弱が可変できる。イアホン端子を利用して、外部スピーカを利用することも可能になっている。
【実施例２】
【０００９】  ＤＶＤプレイヤー内部に変換器を内蔵したモデルを例示している。
プレイヤー内部に変換器を内蔵しているので、変換器を買う必要がない。
その利用法は同様で、デイスプレイ出力コネクタにＰＣデイスプレイケーブルを接続するだけでＴＶモニターとして利用できるようになる。
【産業上の利用の可能性】
【００１０】  パソコン不要で動作できるが、パソコンと連動させることもできる。
不要になって用途のないＰＣデイスプレイが家庭用ＴＶモニターになるし、防犯用の録画機能付きのＶＴＲやＤＶＤ接続型ＴＶモニターとして再利用出来る。
最近のレコーダーはＨＤを内蔵して録画能力が大きい製品もあるので、プログラム次第で保安用のレコーダーとして録画する事ができる。
普通のＴＶとＰＣデイスプレイ活用のＴＶモニターの２台が利用できる。
ＤＶＤプレイヤーはＤＶＤレコーダーに比較すると性能不足だが、価格的には安いので考案のようなＰＣデイスプレイへの出力機能があれば応用性が良い。
【図面の簡単な説明】
【００１１】
【図１】  外付けの映像信号変換機器を利用するＴＶ変換器の原理図。
【図２】  ＤＶＤプレイヤー内部に映像信号変換機器を内蔵したＤＶＤプレイヤーの活用原理図。
【符号の説明】
【００１２】  １  映像信号変換機器。
２  パソコン用ＰＣデイスプレイ。
３  ＤＶＤプレイヤー、又はＤＶＤレコーダー、又はーム機器。
４  映像信号変換機器の映像出力コネクタに接続したＰＣデイスプレイのケーブル。
５  ＤＶＤプレイヤー等の映像出力と変換機器の映像入力コネクタを接続する専用ケーブル。
６  ＤＶＤプレイヤー等の音声出力を変換機器の音声入力コネクタを接続する専用ケーブル。
７  映像信号変換機器を内蔵したＤＶＤプレイヤー。
８  ＤＶＤプレイヤーのデイスプレイ出力コネクタに接続したケーブル
【手続補正３】
【補正対象書類名】図面
【補正対象項目名】全図
【補正方法】変更
【補正の内容】
【図１】
0003140699.tif 000005
【図２】
0003140699.tif 000006